(57)【特許請求の範囲】
【請求項１】
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報と、企業の種類を示す企業種類情報とを格納し得る格納部と、
取引の日付を示す取引日付情報と仕訳情報を受け付ける受付部と、
前記受付部が受け付けた仕訳情報を前記格納部に蓄積する蓄積部と、
前記受付部が受け付けた仕訳情報が有する仕訳金額情報が、閾値以上または閾値より大きいことであるという条件を含む、予め決められた条件を満たすか否かを判断する判断部と、
前記受付部が受け付けた仕訳情報が有する科目情報を資産種類情報とし、前記受付部が受け付けた仕訳情報が有する摘要情報を資産名称情報とし、前記受付部が受け付けた仕訳情報が有する仕訳金額情報を資産金額情報とし、前記受付部が受け付けた取引日付情報を固定資産取得日情報とする固定資産情報を生成し、前記格納部に蓄積する生成部とを具備し、
前記生成部は、
前記判断部が予め決められた条件を満たすと判断した場合のみ、固定資産情報を前記格納部に蓄積し、
前記閾値は、前記企業種類情報に応じて異なる、会計情報処理装置。
【請求項２】
前記受付部は、
一の取引日付情報と２以上の仕訳情報を受け付け
前記生成部は、
前記受付部が受け付けた仕訳情報の数だけ、前記受付部が受け付けた一の取引日付情報を固定資産取得日情報とする固定資産情報を生成し、前記格納部に蓄積する請求項１記載の会計情報処理装置。
【請求項３】
前記予め決められた条件は、
前記受付部が受け付けた仕訳情報が有する科目情報が、予め決められた情報であることであるという条件を含む請求項１または請求項２記載の会計情報処理装置。
【請求項４】
前記受付部が受け付けた仕訳情報を用いて、固定資産の種類を決定し、固定資産種類を取得する固定資産種類決定部と、
前記固定資産種類を出力する固定資産種類出力部とを具備する請求項１から請求項３いずれか一項に記載の会計情報処理装置。
【請求項５】
前記生成部は、
前記受付部が受け付けた仕訳情報と前記生成部が生成した固定資産情報とを対応付けて前記格納部に蓄積する請求項１から請求項４いずれか一項に記載の会計情報処理装置。
【請求項６】
前記格納部の仕訳情報、および固定資産情報を出力する出力部をさらに具備し、
前記受付部は、
一の仕訳情報の出力指示、または一の仕訳情報にフォーカスを移動するフォーカス移動指示を受け付け、
前記出力部は、
前記受付部が出力指示、または前記フォーカス移動指示を受け付けたことに応じて、前記一の仕訳情報に対応する固定資産情報を前記格納部から取得し、出力する請求項５記載の会計情報処理装置。
【請求項７】
前記出力部は、
一の仕訳情報を出力する際に、当該一の仕訳情報に対応する固定資産情報が存在する場合に、当該固定資産情報の存在を示す情報を前記一の仕訳情報に対応付けて出力する請求項６記載の会計情報処理装置。
【請求項８】
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部と、
固定資産情報を受け付ける受付部と、
前記受付部が受け付けた固定資産情報を前記格納部に蓄積する蓄積部と、
前記受付部が受け付けた固定資産情報が有する資産種類情報を科目情報とし、前記受付部が受け付けた固定資産情報が有する資産名称情報を摘要情報とし、前記受付部が受け付けた固定資産情報が有する資産金額情報を仕訳金額情報とし、前記受付部が受け付けた固定資産情報が有する固定資産取得日情報と一致する取引日付情報に対応する仕訳情報を生成し、前記格納部に蓄積する生成部と、
前記格納部の仕訳情報、および固定資産情報を出力する出力部とを具備し、
前記生成部は、
前記受付部が受け付けた固定資産情報と前記生成部が生成した仕訳情報とを対応付けて前記格納部に蓄積し、
前記受付部は、
一の仕訳情報の出力指示、または一の仕訳情報にフォーカスを移動するフォーカス移動指示を受け付け、
前記出力部は、
前記受付部が出力指示、または前記フォーカス移動指示を受け付けたことに応じて、前記一の仕訳情報に対応する固定資産情報を前記格納部から取得し、出力する会計情報処理装置。
【請求項９】
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部と、
固定資産情報を受け付ける受付部と、
前記受付部が受け付けた固定資産情報を前記格納部に蓄積する蓄積部と、
前記受付部が受け付けた固定資産情報が有する資産種類情報を科目情報とし、前記受付部が受け付けた固定資産情報が有する資産名称情報を摘要情報とし、前記受付部が受け付けた固定資産情報が有する資産金額情報を仕訳金額情報とし、前記受付部が受け付けた固定資産情報が有する固定資産取得日情報と一致する取引日付情報に対応する仕訳情報を生成し、前記格納部に蓄積する生成部と、
前記格納部の仕訳情報、および固定資産情報を出力する出力部とを具備し、
前記生成部は、
前記受付部が受け付けた固定資産情報と前記生成部が生成した仕訳情報とを対応付けて前記格納部に蓄積し、
前記受付部は、
一の仕訳情報の出力指示、または一の仕訳情報にフォーカスを移動するフォーカス移動指示を受け付け、
前記出力部は、
前記出力指示または前記フォーカス移動指示に対応する一の仕訳情報を出力する際に、当該一の仕訳情報に対応する固定資産情報が存在する場合に、当該固定資産情報の存在を示す情報を前記一の仕訳情報に対応付けて出力する会計情報処理装置。
【請求項１０】
記録媒体は、
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報と、企業の種類を示す企業種類情報とを格納し得る格納部を具備し、
受付部、蓄積部、判断部、および生成部により実現される情報処理方法であって、
前記受付部が、取引の日付を示す取引日付情報と仕訳情報を受け付ける受付ステップと、
前記蓄積部が、前記受付ステップで受け付けられた仕訳情報を前記格納部に蓄積する蓄積ステップと、
前記判断部が、前記受付部が受け付けた仕訳情報が有する仕訳金額情報が、閾値以上または閾値より大きいことであるという条件を含む、予め決められた条件を満たすか否かを判断する判断ステップと、前記生成部が、前記受付ステップで受け付けられた仕訳情報が有する科目情報を資産種類情報とし、前記受付ステップで受け付けられた仕訳情報が有する摘要情報を資産名称情報とし、前記受付ステップで受け付けられた仕訳情報が有する仕訳金額情報を資産金額情報とし、前記受付ステップで受け付けられた取引日付情報を固定資産取得日情報とする固定資産情報を生成し、前記格納部に蓄積する生成ステップとを具備し、
前記生成ステップにおいて、
前記判断ステップで予め決められた条件を満たすと判断された場合のみ、固定資産情報を前記格納部に蓄積し、
前記閾値は、前記企業種類情報に応じて異なる、情報処理方法。
【請求項１１】
記録媒体は、
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、
受付部、蓄積部、生成部、および出力部により実現される情報処理方法であって、
前記受付部が、固定資産情報を受け付ける受付ステップと、
前記蓄積部が、前記受付ステップで受け付けられた固定資産情報を前記格納部に蓄積する蓄積ステップと、
前記生成部が、前記受付ステップで受け付けられた固定資産情報が有する資産種類情報を科目情報とし、前記受付ステップで受け付けられた固定資産情報が有する資産名称情報を摘要情報とし、前記受付ステップで受け付けられた固定資産情報が有する資産金額情報を仕訳金額情報とし、前記受付ステップで受け付けられた固定資産情報が有する固定資産取得日情報と一致する取引日付情報に対応する仕訳情報を生成し、前記格納部に蓄積する生成ステップと、
前記出力部が、前記格納部の仕訳情報、および固定資産情報を出力する出力ステップとを具備し、
前記生成ステップにおいて、
前記受付ステップで受け付けられた固定資産情報と前記生成部が生成した仕訳情報とを対応付けて前記格納部に蓄積し、
前記受付ステップにおいて、
一の仕訳情報の出力指示、または一の仕訳情報にフォーカスを移動するフォーカス移動指示を受け付け、
前記出力ステップにおいて、
前記受付ステップで出力指示、または前記フォーカス移動指示を受け付けられたことに応じて、前記一の仕訳情報に対応する固定資産情報を前記格納部から取得し、出力する情報処理方法。
【請求項１２】
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、
受付部、蓄積部、生成部、および出力部により実現される情報処理方法であって、
前記受付部が、固定資産情報を受け付ける受付ステップと、
前記蓄積部が、前記受付ステップで受け付けられた固定資産情報を前記格納部に蓄積する蓄積ステップと、
前記生成部が、前記受付ステップで受け付けられた固定資産情報が有する資産種類情報を科目情報とし、前記受付ステップで受け付けられた固定資産情報が有する資産名称情報を摘要情報とし、前記受付ステップで受け付けられた固定資産情報が有する資産金額情報を仕訳金額情報とし、前記受付ステップで受け付けられた固定資産情報が有する固定資産取得日情報と一致する取引日付情報に対応する仕訳情報を生成し、前記格納部に蓄積する生成ステップと、
前記出力部が、前記格納部の仕訳情報、および固定資産情報を出力する出力ステップとを具備し、
前記生成ステップにおいて、前記受付ステップで受け付けられた固定資産情報と前記生成した仕訳情報とを対応付けて前記格納部に蓄積し、
前記受付ステップにおいて、一の仕訳情報の出力指示、または一の仕訳情報にフォーカスを移動するフォーカス移動指示を受け付け、
前記出力ステップにおいて、前記出力指示または前記フォーカス移動指示に対応する一の仕訳情報を出力する際に、当該一の仕訳情報に対応する固定資産情報が存在する場合に、当該固定資産情報の存在を示す情報を前記一の仕訳情報に対応付けて出力する情報処理方法。
【請求項１３】
コンピュータがアクセス可能な記録媒体は、
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報と、企業の種類を示す企業種類情報とを格納し得る格納部を具備し、
コンピュータを、
取引の日付を示す取引日付情報と仕訳情報を受け付ける受付部と、
前記受付部が受け付けた仕訳情報を前記格納部に蓄積する蓄積部と、
前記受付部が受け付けた仕訳情報が有する仕訳金額情報が、閾値以上または閾値より大きいことであるという条件を含む、予め決められた条件を満たすか否かを判断する判断部と、
前記受付部が受け付けた仕訳情報が有する科目情報を資産種類情報とし、前記受付部が受け付けた仕訳情報が有する摘要情報を資産名称情報とし、前記受付部が受け付けた仕訳情報が有する仕訳金額情報を資産金額情報とし、前記受付部が受け付けた取引日付情報を固定資産取得日情報とする固定資産情報を生成し、前記格納部に蓄積する生成部として機能させ、
前記生成部は、
前記判断部が予め決められた条件を満たすと判断した場合のみ、固定資産情報を前記格納部に蓄積し、
前記閾値は、前記企業種類情報に応じて異なる、ものとして前記コンピュータを機能させるためのプログラム。
【請求項１４】
コンピュータがアクセス可能な記録媒体は、
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、
コンピュータを、
固定資産情報を受け付ける受付部と、
前記受付部が受け付けた固定資産情報を前記格納部に蓄積する蓄積部と、
前記受付部が受け付けた固定資産情報が有する資産種類情報を科目情報とし、前記受付部が受け付けた固定資産情報が有する資産名称情報を摘要情報とし、前記受付部が受け付けた固定資産情報が有する資産金額情報を仕訳金額情報とし、前記受付部が受け付けた固定資産情報が有する固定資産取得日情報と一致する取引日付情報に対応する仕訳情報を生成し、前記格納部に蓄積する生成部と、
前記格納部の仕訳情報、および固定資産情報を出力する出力部として機能させるためのプログラムであって、
前記生成部は、
前記受付部が受け付けた固定資産情報と前記生成部が生成した仕訳情報とを対応付けて前記格納部に蓄積し、
前記受付部は、
一の仕訳情報の出力指示、または一の仕訳情報にフォーカスを移動するフォーカス移動指示を受け付け、
前記出力部は、
前記受付部が出力指示、または前記フォーカス移動指示を受け付けたことに応じて、前記一の仕訳情報に対応する固定資産情報を前記格納部から取得し、出力するものとして、前記コンピュータを機能させるためのプログラム。
【請求項１５】
コンピュータがアクセス可能な記録媒体は、
取引の日付を示す取引日付情報と、科目を示す科目情報、摘要を示す摘要情報、および金額を示す仕訳金額情報を有する１以上の仕訳情報とを有する仕訳伝票情報と、
資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、
コンピュータを、
固定資産情報を受け付ける受付部と、
前記受付部が受け付けた固定資産情報を前記格納部に蓄積する蓄積部と、
前記受付部が受け付けた固定資産情報が有する資産種類情報を科目情報とし、前記受付部が受け付けた固定資産情報が有する資産名称情報を摘要情報とし、前記受付部が受け付けた固定資産情報が有する資産金額情報を仕訳金額情報とし、前記受付部が受け付けた固定資産情報が有する固定資産取得日情報と一致する取引日付情報に対応する仕訳情報を生成し、前記格納部に蓄積する生成部と、
前記格納部の仕訳情報、および固定資産情報を出力する出力部として機能させるためのプログラムであって、
前記生成部は、
前記受付部が受け付けた固定資産情報と前記生成部が生成した仕訳情報とを対応付けて前記格納部に蓄積し、
前記受付部は、
一の仕訳情報の出力指示、または一の仕訳情報にフォーカスを移動するフォーカス移動指示を受け付け、
前記出力部は、
前記出力指示または前記フォーカス移動指示に対応する一の仕訳情報を出力する際に、当該一の仕訳情報に対応する固定資産情報が存在する場合に、当該固定資産情報の存在を示す情報を前記一の仕訳情報に対応付けて出力するものとして、前記コンピュータを機能させるためのプログラム。
【発明の詳細な説明】
【技術分野】
【０００１】
本発明は、会計情報を処理する会計情報処理装置等に関するものである。
【背景技術】
【０００２】
従来の会計情報処理システムにおいて、仕訳伝票に関する情報である仕訳情報と、固定資産に関する情報である固定資産情報とは、別々に入力され、管理されていた（例えば、非特許文献１参照）。
【先行技術文献】
【非特許文献】
【０００３】
【非特許文献１】"弥生会計１５"、［online］、［平成２７年４月１０日検索］、インターネット［URL：https://www.yayoi-kk.co.jp/products/account/］
【発明の概要】
【発明が解決しようとする課題】
【０００４】
しかしながら、従来技術においては、効率的かつ正確に固定資産情報または仕訳情報を入力できなかった。
【０００５】
また、従来、仕訳伝票のデータと固定資産のデータは別々で管理され、入力されていたため、漏れが生じることが多かった。
【０００６】
さらに、従来、仕訳伝票のデータと固定資産のデータの整合性のチェックが必要になり、面倒であった。
【課題を解決するための手段】
【０００７】
本第一の発明の会計情報処理装置は、取引の日付を示す取引日付情報と、科目を示す科目情報、摘要を示す摘要情報、および金額を示す仕訳金額情報を有する１以上の仕訳情報とを有する仕訳伝票情報と、資産の種類を示す資産種類情報、資産の名称を示す資産名称情報、金額を示す資産金額情報、および固定資産の取得日を示す固定資産取得日情報を有する１以上の固定資産情報とを格納し得る格納部と、取引の日付を示す取引日付情報と仕訳情報を受け付ける受付部と、受付部が受け付けた仕訳情報を格納部に蓄積する蓄積部と、受付部が受け付けた仕訳情報が有する科目情報を資産種類情報とし、受付部が受け付けた仕訳情報が有する摘要情報を資産名称情報とし、受付部が受け付けた仕訳情報が有する仕訳金額情報を資産金額情報とし、受付部が受け付けた取引日付情報を固定資産取得日情報とする固定資産情報を生成し、格納部に蓄積する生成部とを具備する会計情報処理装置である。
【０００８】
かかる構成により、効率的かつ正確に固定資産情報を入力でき、上記課題を解決できる。
【０００９】
また、本第二の発明の会計情報処理装置は、第一の発明に対して、受付部は、一の取引日付情報と２以上の仕訳情報を受け付け生成部は、受付部が受け付けた仕訳情報の数だけ、受付部が受け付けた一の取引日付情報を固定資産取得日情報とする固定資産情報を生成し、格納部に蓄積する会計情報処理装置である。
【００１０】
かかる構成により、効率的かつ正確に固定資産情報を入力でき、上記課題を解決できる。
【００１１】
また、本第三の発明の会計情報処理装置は、第一または第二の発明に対して、受付部が受け付けた仕訳情報が予め決められた条件を満たすか否かを判断する判断部をさらに具備し、生成部は、判断部が予め決められた条件を満たすと判断した場合のみ、固定資産情報を生成し、格納部に蓄積する会計情報処理装置である。
【００１２】
かかる構成により、固定資産の知識が無い者にでも、効率的かつ正確に固定資産情報を入力でき、上記課題を解決できる。
【００１３】
また、本第四の発明の会計情報処理装置は、第三の発明に対して、予め決められた条件は、受付部が受け付けた仕訳情報が有する科目情報が、予め決められた情報であることであるという条件を含む会計情報処理装置である。
【００１４】
かかる構成により、固定資産の知識が無い者にでも、効率的かつ正確に固定資産情報を入力でき、上記課題を解決できる。
【００１５】
また、本第五の発明の会計情報処理装置は、第三または第四の発明に対して、予め決められた条件は、受付部が受け付けた仕訳情報が有する仕訳金額情報が、閾値以上または閾値より大きいことであるという条件を含む会計情報処理装置である。
【００１６】
かかる構成により、固定資産の知識が無い者にでも、効率的かつ正確に固定資産情報を入力でき、上記課題を解決できる。
【００１７】
また、本第六の発明の会計情報処理装置は、第五の発明に対して、格納部は、企業の種類を示す企業種類情報を格納し得、閾値は、企業種類情報に応じて異なる会計情報処理装置である。
【００１８】
かかる構成により、固定資産の知識が無い者にでも、効率的かつ正確に固定資産情報を入力でき、上記課題を解決できる。
【００１９】
また、本第七の発明の会計情報処理装置は、第一から第六いずれか１つの発明に対して、受付部が受け付けた仕訳情報を用いて、固定資産の種類を決定し、固定資産種類を取得する固定資産種類決定部と、固定資産種類を出力する固定資産種類出力部とを具備する会計情報処理装置である。
【００２０】
かかる構成により、固定資産の知識が無い者にでも、効率的かつ正確に固定資産情報を入力でき、上記課題を解決できる。
【００２１】
また、本第八の発明の会計情報処理装置は、取引の日付を示す取引日付情報と、科目を示す科目情報、摘要を示す摘要情報、および金額を示す仕訳金額情報を有する１以上の仕訳情報とを有する仕訳伝票情報と、資産の種類を示す資産種類情報、資産の名称を示す資産名称情報、金額を示す資産金額情報、および固定資産の取得日を示す固定資産取得日情報を有する１以上の固定資産情報とを格納し得る格納部と、固定資産情報を受け付ける受付部と、受付部が受け付けた固定資産情報を格納部に蓄積する蓄積部と、受付部が受け付けた固定資産情報が有する資産種類情報を科目情報とし、受付部が受け付けた固定資産情報が有する資産名称情報を摘要情報とし、受付部が受け付けた固定資産情報が有する資産金額情報を仕訳金額情報とし、受付部が受け付けた固定資産情報が有する固定資産取得日情報と一致する取引日付情報に対応する仕訳情報を生成し、格納部に蓄積する生成部とを具備する会計情報処理装置である。
【００２２】
かかる構成により、効率的かつ正確に仕訳情報を入力でき、上記課題を解決できる。
【００２３】
また、本第九の発明の会計情報処理装置は、第一から第八いずれか１つの発明に対して、生成部は、受付部が受け付けた仕訳情報と生成部が生成した固定資産情報とを対応付けて格納部に蓄積する、または、受付部が受け付けた固定資産情報と生成部が生成した仕訳情報とを対応付けて格納部に蓄積する会計情報処理装置である。
【００２４】
かかる構成により、効率的かつ正確に固定資産情報または仕訳情報を入力でき、上記課題を解決できる。
【００２５】
また、本第十の発明の会計情報処理装置は、第九の発明に対して、格納部の仕訳情報、および固定資産情報を出力する出力部をさらに具備し、受付部は、一の仕訳情報の出力指示、または一の仕訳情報にフォーカスを移動するフォーカス移動指示を受け付け、出力部は、受付部が出力指示、または前記フォーカス移動指示を受け付けたことに応じて、一の仕訳情報に対応する固定資産情報を格納部から取得し、出力する会計情報処理装置である。
【００２６】
かかる構成により、仕訳情報と固定資産情報と同時に確認できる。
【００２７】
また、本第十一の発明の会計情報処理装置は、第十の発明に対して、出力部は、一の仕訳情報を出力する際に、一の仕訳情報に対応する固定資産情報が存在する場合に、固定資産情報の存在を示す情報を一の仕訳情報に対応付けて出力する会計情報処理装置である。
【００２８】
かかる構成により、仕訳情報に対応付く固定資産情報が存在することを容易に認識できる。
【発明の効果】
【００２９】
本発明による会計情報処理装置によれば、効率的かつ正確に固定資産情報または仕訳情報を入力できる。
【図面の簡単な説明】
【００３０】
【図１】実施の形態１における会計情報システムの概念図
【図２】同会計情報システムのブロック図
【図３】同会計情報処理装置１の動作について説明するフローチャート
【図４】同固定資産情報生成処理について説明するフローチャート
【図５】同仕訳情報生成処理について説明するフローチャート
【図６】同仕訳伝票情報管理表を示す図
【図７】同固定資産情報管理表を示す図
【図８】同条件管理表を示す図
【図９】同資産種類決定情報管理表を示す図
【図１０】同仕訳情報入力画面を示す図
【図１１】同固定資産情報入力画面を示す図
【図１２】同仕訳情報の属性値等と固定資産情報の属性値等との関係を示す図
【図１３】同出力例を示す図
【図１４】同出力例を示す図
【図１５】同出力例を示す図
【図１６】同出力例を示す図
【図１７】同コンピュータシステムの概観図
【図１８】同コンピュータシステムのブロック図
【発明を実施するための形態】
【００３１】
以下、会計情報処理装置等の実施形態について図面を参照して説明する。なお、実施の形態において同じ符号を付した構成要素は同様の動作を行うので、再度の説明を省略する場合がある。
【００３２】
（実施の形態１）
本実施の形態において、仕訳情報を入力すれば、仕訳情報を蓄積すると共に、固定資産情報を生成し、蓄積する会計情報システムについて説明する。
【００３３】
また、本実施の形態において、入力された仕訳情報が予め決められた条件を満たす場合のみ、固定資産情報を生成し、蓄積する会計情報システムについて説明する。なお、予め決められた条件は、例えば、特定の勘定科目等の勘定科目に関する条件や、金額が閾値以上等の金額に関する条件等である。なお、条件が、閾値以上等の金額である場合における閾値は、企業の種類によって異なっても良い。
【００３４】
また、本実施の形態において、仕訳情報を用いて、固定資産情報の種類が決定される会計情報システムについて説明する。固定資産情報の種類とは、例えば、有形固定資産または無形固定資産を示す情報である。なお、固定資産情報の種類は、蓄積されておらず、固定資産情報の出力時に決定されても良い。
【００３５】
また、本実施の形態において、固定資産情報を入力すれば、固定資産情報を蓄積すると共に、仕訳情報を生成し、蓄積する会計情報システムについて説明する。
【００３６】
また、本実施の形態において、対応する固定資産情報と仕訳情報とがリンク付けられている会計情報システムについて説明する。
【００３７】
また、本実施の形態において、仕訳情報と、当該仕訳情報に対応付いている固定資産情報とを同時に出力できる会計情報システムについて説明する。
【００３８】
また、本実施の形態において、固定資産情報にリンク付けられている仕訳情報が出力される場合、アイコン等のリンクを示す情報が出力される会計情報システムについて説明する。
【００３９】
図１は、本実施の形態における会計情報システムの概念図である。会計情報システムは、会計情報処理装置１、１または２以上の端末装置２を備える。会計情報処理装置１は、ここでは、会計情報を管理しているサーバ装置である。サーバ装置は、いわゆるクラウドサーバも含み、端末装置２に会計情報を送信する装置であれば、その種類等は何でも良い。なお、会計情報とは、会計に関する情報であり、後述する仕訳情報、固定資産情報等を含む。端末装置２は、ユーザが使用する端末であり、いわゆるパソコン、タブレット端末、スマートフォン、携帯電話等、その種類は問わない。
【００４０】
図２は、本実施の形態における会計情報システムのブロック図である。会計情報システムを構成する会計情報処理装置１は、格納部１１、受付部１２、処理部１３、出力部１４を備える。
【００４１】
処理部１３は、蓄積部１３１、生成部１３２、判断部１３３、固定資産種類決定部１３４を備える。
【００４２】
出力部１４は、仕訳情報出力部１４１、固定資産情報出力部１４２、固定資産種類出力部１４３を備える。
【００４３】
端末装置２は、端末格納部２０、端末受付部２１、端末送信部２２、端末処理部２３、端末受信部２４、端末出力部２５を備える。
【００４４】
会計情報処理装置１を構成する格納部１１は、１または２以上の仕訳伝票情報を格納し得る。仕訳伝票情報は、仕訳伝票に関する情報であり、取引の日付を示す取引日付情報と１または２以上の仕訳情報とを有する。仕訳情報は、仕訳に関する情報であり、例えば、科目を示す科目情報、摘要を示す摘要情報、および仕訳伝票における金額を示す仕訳金額情報を有する。仕訳情報は、例えば、借方の情報である借方情報、貸方の情報である貸方情報、および摘要情報を有する、と考えても良い。借方情報は、第一の科目情報と第一の仕訳金額情報を有する。貸方情報は、第二の科目情報と第二の仕訳金額情報を有する。なお、一の仕訳情報において、通常、第一の仕訳金額情報と第二の仕訳金額情報とは同じ金額を示す情報であり、実体的には一つの情報でも良い。また、第一の仕訳金額情報と第二の仕訳金額情報とのどちらか、または両方を、単に、仕訳金額情報と言っても良い。
【００４５】
１以上の仕訳伝票情報は、ユーザごとに格納されることは好適である。なお、ユーザとは、通常、企業や個人事業主である。つまり、格納部１１は、ユーザを識別するユーザ識別子に対応付けて、１以上の仕訳伝票情報を格納していることは好適である。さらに、１以上の仕訳伝票情報は、データベースの表であることは好適であるが、その構造は問わない。
【００４６】
また、格納部１１は、１または２以上の固定資産情報を格納し得る。固定資産情報は、固定資産に関する情報であり、例えば、資産の種類を示す資産種類情報、資産の名称を示す資産名称情報、固定資産の金額を示す資産金額情報、支払方法を示す支払方法情報、および固定資産の取得日を示す固定資産取得日情報を有する。
【００４７】
１以上の固定資産情報は、ユーザごとに格納されることは好適である。つまり、格納部１１は、ユーザを識別するユーザ識別子に対応付けて、１以上の固定資産を格納していることは好適である。さらに、１以上の固定資産情報は、データベースの表であることは好適であるが、その構造は問わない。
【００４８】
また、格納部１１は、ユーザ識別子に対応付けて、企業（個人事業主を含む）であるユーザの種類を示す企業種類情報を格納していることは好適である。
【００４９】
また、格納部１１は、後述する予め決められた条件を格納していることは好適である。  ここで、予め決められた条件は、２以上の条件を含んでも良い。また、２以上の条件は、ＡＮＤでもＯＲでも良い。なお、予め決められた条件は、固定資産情報を生成するための条件である。
【００５０】
また、予め決められた条件とは、例えば、後述する受付部１２が受け付けた仕訳情報が有する科目情報（通常、第一の科目情報）が、予め決められた情報であることであるという条件を含む。予め決められた条件は、例えば、第一の科目情報が機械装置であること、である。
【００５１】
さらに、予め決められた条件とは、例えば、受付部１２が受け付けた仕訳情報が有する仕訳金額情報（第一の仕訳金額情報または第二の仕訳金額情報）が、閾値以上または閾値より大きいことであるという条件を含む。予め決められた条件は、例えば、第一の仕訳金額情報または第二の仕訳金額情報が３０万円以上である。
【００５２】
さらに、格納部１１は、１以上の資産種類決定情報を格納していることは好適である。資産種類決定情報は、資産種類情報を決定するための情報である。資産種類決定情報は、例えば、資産種類情報と固定資産種類情報との対応を示す情報である。
【００５３】
受付部１２は、各種の情報や命令を受け付ける。各種の情報や命令とは、例えば、取引の日付を示す取引日付情報と仕訳情報である。また、各種の情報や命令とは、例えば、一の取引日付情報と２以上の仕訳情報である。また、各種の情報や命令とは、例えば、固定資産情報である。各種の情報や命令とは、例えば、一の仕訳情報の出力指示、または一の仕訳情報にフォーカスを移動するフォーカス移動指示等である。各種の情報や命令とは、例えば、仕訳情報の修正指示、仕訳伝票情報の修正指示、固定資産情報の修正指示等である。修正指示は、通常、修正対象の情報を特定する情報（例えば、「ＩＤ」等）と、修正内容を示す情報を含む。
【００５４】
ここで、受け付けとは、通常、有線もしくは無線の通信回線を介した端末装置２からの受信である。ただし、受け付けとは、キーボードやマウス、タッチパネルなどの入力デバイスから入力された情報の受け付け、光ディスクや磁気ディスク、半導体メモリなどの記録媒体から読み出された情報の受け付けなどを含む概念である。
【００５５】
処理部１３は、各種の処理を行う。各種の処理とは、蓄積部１３１、生成部１３２、判断部１３３、固定資産種類決定部１３４等が行う処理である。
【００５６】
蓄積部１３１は、受付部１２が受け付けた仕訳情報を格納部１１に蓄積する。また、蓄積部１３１は、受付部１２が受け付けた固定資産情報を格納部１１に蓄積する。なお、かかる蓄積は、通常、追記である。ただし、蓄積部１３１は、受付部１２が受け付けた仕訳情報の修正の指示に応じた、仕訳情報の修正を行っても良い。また、蓄積部１３１は、受付部１２が受け付けた固定資産情報の修正の指示に応じた、固定資産情報の修正を行っても良い。
【００５７】
生成部１３２は、受付部１２が受け付けた仕訳情報から固定資産情報を生成し、格納部１１に蓄積する。
【００５８】
具体的には、生成部１３２は、例えば、受付部１２が受け付けた仕訳情報が有する科目情報を資産種類情報とし、受付部１２が受け付けた仕訳情報が有する摘要情報を資産名称情報とし、受付部１２が受け付けた仕訳情報が有する仕訳金額情報を資産金額情報とし、受付部１２が受け付けた取引日付情報を固定資産取得日情報とする固定資産情報を生成し、格納部１１に蓄積する。
【００５９】
また、生成部１３２は、例えば、受付部１２が受け付けた１または２以上の仕訳情報の数だけ、受付部１２が受け付けた１以上の仕訳情報に対応付けて受け付けた一の取引日付情報を固定資産取得日情報とする固定資産情報を生成し、格納部１１に蓄積する。
【００６０】
なお、受付部１２が受け付けた２以上の仕訳情報と一の取引日付情報とを受け付けた場合、生成部１３２は、２以上の各仕訳情報に対応する固定資産情報であり、一の取引日付情報を固定資産取得日情報とする固定資産情報を生成する。かかる場合、同一の固定資産取得日情報を有する２以上の固定資産情報が生成される。
【００６１】
生成部１３２は、通常、受付部１２が受け付けた仕訳情報と生成部１３２が生成した固定資産情報とを対応付けて格納部１１に蓄積する。
【００６２】
また、生成部１３２は、判断部１３３が予め決められた条件を満たすと判断した場合のみ、固定資産情報を生成し、格納部１１に蓄積することは好適である。なお、予め決められた条件は、格納部１１の予め決められた条件である。
【００６３】
生成部１３２は、受付部１２が受け付けた固定資産情報から仕訳情報を生成し、格納部１１に蓄積する。
【００６４】
生成部１３２は、例えば、受付部１２が受け付けた固定資産情報が有する資産種類情報を科目情報とし、受付部１２が受け付けた固定資産情報が有する資産名称情報を摘要情報とし、受付部１２が受け付けた固定資産情報が有する資産金額情報を仕訳金額情報とし、受付部１２が受け付けた固定資産情報が有する固定資産取得日情報と一致する取引日付情報に対応する仕訳情報を生成し、格納部１１に蓄積する。
【００６５】
生成部１３２は、通常、受付部１２が受け付けた固定資産情報と生成部１３２が生成した仕訳情報とを対応付けて格納部１１に蓄積する。
【００６６】
判断部１３３は、受付部１２が受け付けた仕訳情報が予め決められた条件を満たすか否かを判断する。なお、予め決められた条件は、格納部１１に格納されている１以上の条件である。
【００６７】
固定資産種類決定部１３４は、受付部１２が受け付けた仕訳情報を用いて、固定資産の種類を決定し、固定資産種類情報を取得する。固定資産種類情報は、固定資産の種類を示す情報である。固定資産種類情報は、例えば、「有形固定資産」「無形固定資産」である。
【００６８】
固定資産種類決定部１３４は、例えば、受付部１２が受け付けた仕訳情報が有する資産種類情報を用いて、固定資産の種類を決定する。資産種類情報が「機械装置」である場合、固定資産種類決定部１３４は、格納部１１の１以上の資産種類決定情報を参照し、資産種類情報「機械装置」に対応する資産種類情報「有形固定資産」を取得する。
【００６９】
出力部１４は、格納部１１の仕訳情報を出力する。また、出力部１４は、固定資産情報を出力する。出力部１４は、仕訳情報と、当該仕訳情報に対応する固定資産情報とを同時に出力しても良い。出力部１４は、仕訳情報と、当該仕訳情報に対応する固定資産情報とを同時に、一のディスプレイに出力しても良い。一のディスプレイに出力することは、端末装置２の一のディスプレイに出力されるように、端末装置２に送信することも含む。
【００７０】
また、出力部１４は、受付部１２が出力指示、または前記フォーカス移動指示を受け付けたことに応じて、一の仕訳情報に対応する固定資産情報を格納部１１から取得し、出力することは好適である。
【００７１】
また、出力部１４は、一の仕訳情報を出力する際に、一の仕訳情報に対応する固定資産情報が存在する場合に、固定資産情報の存在を示す情報を一の仕訳情報に対応付けて出力することは好適である。
【００７２】
仕訳情報出力部１４１は、１以上の仕訳情報を出力する。
【００７３】
固定資産情報出力部１４２は、１以上の固定資産情報を出力する。
【００７４】
固定資産種類出力部１４３は、１以上の固定資産種類を出力する。なお、固定資産情報出力部１４２が固定資産情報を出力する場合に、固定資産種類出力部１４３は、当該固定資産情報の種類を示す固定資産種類を出力する。なお、固定資産種類は、固定資産情報に含まれる、と考えても良い。
【００７５】
ここで、上記の出力とは、通常、端末装置２への送信である。ただし、出力とは、ディスプレイへの表示、プロジェクターを用いた投影、プリンタでの印字、音出力、端末装置２以外の外部の装置への送信、記録媒体への蓄積、他の処理装置や他のプログラムなどへの処理結果の引渡しなどを含む概念である。
【００７６】
端末装置２を構成する端末格納部２０は、各種の情報を格納し得る。各種の情報は、例えば、ユーザ識別子である。
【００７７】
端末受付部２１は、各種の情報や指示を受け付ける。各種の情報や指示とは、例えば、取引日付情報と１以上の仕訳情報である。各種の情報や指示とは、例えば、固定資産情報である。各種の情報や指示とは、例えば、一の仕訳情報の出力指示、または一の仕訳情報にフォーカスを移動するフォーカス移動指示、各種の情報の修正指示等である。
【００７８】
端末送信部２２は、端末受付部２１が受け付けた情報や指示を会計情報処理装置１に送信する。端末送信部２２は、後述する端末処理部２３が処理した結果を、会計情報処理装置１に送信しても良い。つまり、端末送信部２２は、ユーザ識別子が付加された情報や指示を会計情報処理装置１に送信することは好適である。
【００７９】
端末処理部２３は、各種の処理を行う。各種の処理とは、端末受付部２１が受け付けた各種の情報や指示に、端末格納部２０のユーザ識別子を付加する処理である。
【００８０】
端末受信部２４は、会計情報処理装置１から各種の情報を受信する。各種の情報とは、例えば、１以上の仕訳情報、１以上の固定資産情報等である。
【００８１】
端末出力部２５は、端末受信部２４が受信した情報を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８２】
格納部１１、および端末格納部２０は、不揮発性の記録媒体が好適であるが、揮発性の記録媒体でも実現可能である。
【００８３】
格納部１１等に仕訳伝票情報等が記憶される過程は問わない。例えば、記録媒体を介して仕訳伝票情報等が格納部１１等で記憶されるようになってもよく、通信回線等を介して送信された仕訳伝票情報等が格納部１１等で記憶されるようになってもよく、あるいは、入力デバイスを介して入力された仕訳伝票情報等が格納部１１等で記憶されるようになってもよい。
【００８４】
受付部１２、および端末受信部２４は、通常、無線または有線の通信手段で実現されるが、放送を受信する手段で実現されても良い。
【００８５】
処理部１３、蓄積部１３１、生成部１３２、判断部１３３、固定資産種類決定部１３４、および端末処理部２３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００８６】
出力部１４、仕訳情報出力部１４１、固定資産情報出力部１４２、固定資産種類出力部１４３、および端末送信部２２は、通常、無線または有線の通信手段で実現されるが、放送手段で実現されても良い。
【００８７】
端末出力部２５は、ディスプレイやスピーカー等の出力デバイスを含むと考えても含まないと考えても良い。端末出力部２５は、出力デバイスのドライバーソフトまたは、出力デバイスのドライバーソフトと出力デバイス等で実現され得る。
【００８８】
次に、会計情報システムの動作について説明する。まず、図３のフローチャートを用いて、会計情報処理装置１の動作について説明する。
【００８９】
（ステップＳ３０１）受付部１２は、仕訳伝票情報を受け付けたか否かを判断する。仕訳伝票情報を受け付け場合はステップＳ３０２に行き、仕訳伝票情報を受け付けない場合はステップＳ３０９に行く。なお、ここでの受け付けは、通常、端末装置２からの受信である。
【００９０】
（ステップＳ３０２）処理部１３は、ステップＳ３０１で受け付けられた仕訳伝票情報から取引日付情報を取得する。
【００９１】
（ステップＳ３０３）処理部１３は、カウンタｉに１を代入する。
【００９２】
（ステップＳ３０４）処理部１３は、ステップＳ３０１で受け付けられた仕訳伝票情報の中に、ｉ番目の仕訳情報が存在するか否かを判断する。ｉ番目の仕訳情報が存在する場合はステップＳ３０５に行き、ｉ番目の仕訳情報が存在しない場合はステップＳ３０１に戻る。
【００９３】
（ステップＳ３０５）蓄積部１３１は、ステップＳ３０２で取得された取引日付情報に対応付けて、ｉ番目の仕訳情報を格納部１１に蓄積する。
【００９４】
（ステップＳ３０６）判断部１３３は、ｉ番目の仕訳情報が、格納部１１のいずれかの条件を満たすか否かを判断する。いずれかの条件を満たす場合はステップＳ３０７に行き、いずれの条件をも満たさない場合はステップＳ３０８に行く。
【００９５】
（ステップＳ３０７）生成部１３２は、ｉ番目の仕訳情報と取引日付情報とを用いて、ステップＳ３０５で蓄積された仕訳情報に対応する固定資産情報を生成する。固定資産情報生成処理について、図４のフローチャートを用いて説明する。
【００９６】
（ステップＳ３０８）処理部１３は、カウンタｉを１、インクリメントする。ステップＳ３０４に戻る。
【００９７】
（ステップＳ３０９）受付部１２は、固定資産情報を受け付けたか否かを判断する。固定資産情報を受け付け場合はステップＳ３１０に行き、固定資産情報を受け付けない場合はステップＳ３１２に行く。
【００９８】
（ステップＳ３１０）蓄積部１３１は、ステップＳ３０９受け付けられた固定資産情報を格納部１１に蓄積する。
【００９９】
（ステップＳ３１１）生成部１３２は、ステップＳ３０９受け付けられた固定資産情報を用いて、ステップＳ３１０で蓄積された固定資産情報に対応する仕訳情報を生成する。ステップＳ３０１に戻る。なお、仕訳情報生成処理について、図５のフローチャートを用いて説明する。
【０１００】
（ステップＳ３１２）受付部１２は、一の仕訳情報の出力指示、または一の仕訳情報へのフォーカス移動指示、または一の固定資産情報の出力指示、または一の固定資産情報へのフォーカス移動指示を受け付けたか否かを判断する。いずれかの指示を受け付けた場合はステップＳ３１３に行き、いずれかの指示を受け付けない場合はステップＳ３１７に行く。
【０１０１】
（ステップＳ３１３）処理部１３は、ステップＳ３１２で受け付けられた指示に対応する仕訳情報または固定資産情報を、格納部１１から取得する。なお、処理部１３は、固定資産情報を取得する際に、固定資産種類決定部１３４が固定資産種類を決定しても良い。
【０１０２】
（ステップＳ３１４）処理部１３は、ステップＳ３１３で取得した仕訳情報または固定資産情報に対応する固定資産情報または仕訳情報が、格納部１１に存在するか否かを判断する。存在する場合はステップＳ３１５に行き、存在しない場合はステップＳ３１６に行く。
【０１０３】
なお、処理部１３は、フォーカス移動指示された一の仕訳情報に対応する固定資産情報が存在するか否かを判断しても良い。また、処理部１３は、フォーカス移動指示された一の固定資産情報に対応する仕訳情報が存在するか否かを判断しても良い。
【０１０４】
（ステップＳ３１５）出力部１４は、ステップＳ３１３で取得した仕訳情報または固定資産情報に対応する固定資産情報または仕訳情報を、格納部１１から取得する。
【０１０５】
（ステップＳ３１６）出力部１４は、取得された情報を出力する。ステップＳ３０１に戻る。なお、取得された情報とは、仕訳情報、または固定資産情報、または仕訳情報と固定資産情報である。また、出力部１４は、固定資産種類をも出力しても良い。なお、ここでの出力は、通常、端末装置２への送信である。
【０１０６】
（ステップＳ３１７）受付部１２は、その他の情報や指示等を受け付けたか否かを判断する。その他の情報や指示等を受け付けた場合はステップＳ３１８に行き、その他の情報や指示等を受け付けない場合はステップＳ３０１に戻る。
【０１０７】
（ステップＳ３１８）処理部１３等は、その他の情報や指示等に応じた処理を行う。ステップＳ３０１に戻る。
【０１０８】
なお、図３のフローチャートにおいて、電源オフや処理終了の割り込みにより処理は終了する。
【０１０９】
次に、ステップＳ３０７の固定資産情報生成処理について、図４のフローチャートを用いて説明する。
【０１１０】
（ステップＳ４０１）生成部１３２は、図３のフローチャートにおけるi番目の仕訳情報の識別子（以下、適宜「仕訳情報識別子」という。）を取得する。なお、ステップＳ３０５で仕訳情報が蓄積された際に、仕訳情報識別子が自動的に生成され、仕訳情報に対応付く、とする。
【０１１１】
（ステップＳ４０２）生成部１３２は、i番目の仕訳情報が有する借方情報の第一の科目情報を取得する。
【０１１２】
（ステップＳ４０３）生成部１３２は、i番目の仕訳情報が有する借方情報の第一の仕訳金額情報を取得する。
【０１１３】
（ステップＳ４０４）生成部１３２は、i番目の仕訳情報が有する貸方情報の第二の科目情報を取得する。
【０１１４】
（ステップＳ４０５）生成部１３２は、i番目の仕訳情報が有する貸方情報の第二の仕訳金額情報を取得する。
【０１１５】
（ステップＳ４０６）生成部１３２は、i番目の仕訳情報が有する摘要情報を取得する。
【０１１６】
（ステップＳ４０７）生成部１３２は、i番目の仕訳情報に対応する取引日付情報を取得する。
【０１１７】
（ステップＳ４０８）生成部１３２は、第一の科目情報、第一の仕訳金額情報、第二の科目情報、第二の仕訳金額情報、摘要情報、取引日付情報を用いて、固定資産情報を構成する。なお、生成部１３２は、第一の科目情報を資産種類情報、第一の仕訳金額情報または第二の仕訳金額情報を資産金額情報、第二の科目情報を支払方法情報、摘要情報を資産名称情報、取引日付情報を固定資産取得日情報とする固定資産情報を構成することは好適である。
【０１１８】
（ステップＳ４０９）生成部１３２は、ステップＳ４０８で構成した固定資産情報を、仕訳情報に対応付けて、格納部１１に蓄積する。上位処理にリターンする。なお、生成部１３２は、例えば、ステップＳ４０８で構成した固定資産情報とステップＳ４０１で取得した仕訳情報識別子とを、対応付けて格納部１１に蓄積する。
【０１１９】
次に、ステップＳ３１１の仕訳情報生成処理について、図５のフローチャートを用いて説明する。
【０１２０】
（ステップＳ５０１）生成部１３２は、固定資産情報の識別子（以下、適宜「固定資産情報識別子」という。）を取得する。なお、ステップＳ３１０で固定資産情報が蓄積された際に、固定資産情報識別子が自動的に生成され、固定資産情報に対応付く、とする。
【０１２１】
（ステップＳ５０２）生成部１３２は、ステップＳ３１０で蓄積された固定資産情報が有する資産名称情報を取得する。
【０１２２】
（ステップＳ５０３）生成部１３２は、ステップＳ３１０で蓄積された固定資産情報が有する資産種類情報を取得する。
【０１２３】
（ステップＳ５０４）生成部１３２は、ステップＳ３１０で蓄積された固定資産情報が有する固定資産取得日情報を取得する。
【０１２４】
（ステップＳ５０５）生成部１３２は、ステップＳ３１０で蓄積された固定資産情報が有する支払方法情報を取得する。
【０１２５】
（ステップＳ５０６）生成部１３２は、ステップＳ３１０で蓄積された固定資産情報が有する資産金額情報を取得する。
【０１２６】
（ステップＳ５０７）生成部１３２は、資産名称情報、資産種類情報、固定資産取得日情報、支払方法情報、資産金額情報を用いて、仕訳情報を構成する。なお、生成部１３２は、資産名称情報を摘要情報、資産種類情報を第一の科目情報、支払方法情報を第二の科目情報、資産金額情報を第一の仕訳金額情報および第二の仕訳金額情報とする仕訳情報を構成することは好適である。
【０１２７】
（ステップＳ５０８）生成部１３２は、固定資産取得日情報と同一の取引日付情報に対応付けて、ステップＳ５０７で構成した仕訳情報を格納部１１に蓄積する。
【０１２８】
次に、端末装置２の動作について説明する。端末装置２の端末受付部２１は、ユーザから指示や情報等を受け付ける。次に、端末処理部２３は、受け付けられた指示や情報等にユーザ識別子を付与し、送信する指示や情報等を構成する。端末送信部２２は、構成された指示や情報等を、会計情報処理装置１に送信する。そして、指示や情報等の送信に応じて、端末受信部２４は、会計情報処理装置１から情報を受信する。次に、端末出力部２５が受信された情報を出力する。
【０１２９】
以下、本実施の形態における会計情報システムの具体的な動作について説明する。会計情報システムの概念図は図１である。
【０１３０】
今、会計情報処理装置１を構成する格納部１１は、図６に示す構造を有する仕訳伝票情報管理表を保持している。仕訳伝票情報管理表は、「ＩＤ」「伝票日付」「伝票No」「仕訳情報」「対応固定資産ＩＤ」を有する。「仕訳情報」は、「借方情報」「貸方情報」「摘要情報」を有する１以上のレコードを格納し得る。「借方情報」は「第一の科目情報」「第一の仕訳金額情報」を有する。「貸方情報」は「第二の科目情報」「第二の仕訳金額情報」を有する。「対応固定資産ＩＤ」は、仕訳情報に対応する固定資産情報の識別子である。「対応固定資産ＩＤ」は、仕訳情報に対応する固定資産情報を特定するための情報であり、ここでは、後述する図７の固定資産情報管理表の「ＩＤ」である。
【０１３１】
また、格納部１１は、図７に示す構造を有する固定資産情報管理表を保持している。固定資産情報管理表は「ＩＤ」「資産名称情報」「資産種類情報」「数量情報」「固定資産取得日情報」「経費種類情報」「支払方法情報」「資産金額情報」「対応仕訳ＩＤ」を有する１以上のレコードを格納し得る。「数量情報」は、固定資産の数や量を示す情報である。「経費種類情報」は、経費の種類を示す情報である。「対応仕訳ＩＤ」は、固定資産情報に対応する仕訳情報の識別子である。「対応仕訳ＩＤ」は、固定資産情報に対応する仕訳情報を特定するための情報であり、ここでは、図６の仕訳伝票情報管理表の「ＩＤ」である。
【０１３２】
また、格納部１１は、図８に示す構造を有する条件管理表を保持している。条件管理表は「ＩＤ」「条件」を有する１以上のレコードを格納し得る。「条件」は、固定資産情報を生成するための条件であり、「科目情報条件」「数量条件」を有する。「科目情報条件」は、仕訳情報が有する科目情報についての条件である。「数量条件」は仕訳情報が有する仕訳金額情報または数量情報に関する条件である。また、「数量条件」が「−」である条件は、数量条件は無いことを示す。数量条件が無いことは、数量情報は問わないことを示す。なお、図８の「ＩＤ＝１」のレコードは、「科目情報」が「建物」である仕訳情報に対応して、固定資産情報が生成されることを示す。また、「ＩＤ＝３」のレコードは、「科目情報」が「ソフトウェア」であり、企業種類情報が「Ａ」であり、「仕訳金額情報」が２０万円以上である仕訳情報に対応して、固定資産情報が生成されることを示す。また、「ＩＤ＝３」のレコードは、「科目情報」が「ソフトウェア」であり、企業種類情報が「Ａ以外」であり、「仕訳金額情報」が１０万円以上である仕訳情報に対応して、固定資産情報が生成されることを示す。さらに、「ＩＤ＝４」のレコードは、「科目情報」が「計器備品」であり、「仕訳金額情報」が１０万円以上である仕訳情報に対応して、固定資産情報が生成されることを示す。
【０１３３】
さらに、格納部１１は、図９に示す構造を有する資産種類決定情報管理表を保持している。資産種類決定情報管理表は、「固定資産種類情報」「資産種類情報」を有する１以上のレコードを格納し得る。
【０１３４】
かかる状況において、以下の３つの具体例について説明する。具体例１は、会計情報処理装置１が受信した仕訳情報から固定資産情報を生成する場合である。具体例２は、会計情報処理装置１が受信した固定資産情報から仕訳情報を生成する場合である。具体例３は、仕訳情報や固定資産情報の表示例である。
【０１３５】
（具体例１）
今、ユーザは、端末装置２に対して、仕訳情報の入力指示を入力した、とする。そして、端末受付部２１は、仕訳情報の入力の指示である仕訳情報入力指示を受け付ける。次に、端末処理部２３は、当該ユーザのユーザ識別子（例えば、「Ｕ０１」）を端末格納部２０から読み出し、当該ユーザ識別子を仕訳情報入力指示に付加し、会計情報処理装置１に送信する。
【０１３６】
次に、会計情報処理装置１の受付部１２は、ユーザ識別子「Ｕ０１」が付加された仕訳情報入力指示を受信する。そして、出力部１４は、仕訳情報入力指示に対応する仕訳情報入力画面情報を格納部１１から読み出し、端末装置２に送信する。仕訳情報入力画面情報は、仕訳情報を入力するための画面である仕訳情報入力画面を構成するための情報である。仕訳情報入力画面情報は、例えば、ＨＴＭＬ、ＸＭＬ等で記述されているが、その構造、内容等は問わない。
【０１３７】
次に、端末装置２の端末受信部２４は、仕訳情報入力画面情報を受信する。そして、出力部１４は、仕訳情報入力画面情報を用いて、仕訳情報入力画面を表示する。
【０１３８】
次に、ユーザは、仕訳情報入力画面に対して、図１０に示すような２つの仕訳情報を入力した、とする。２つの仕訳情報が、図１０の「ＩＤ＝１」「ＩＤ＝２」のレコードである。また、ユーザは、仕訳情報入力画面に対して、図１０に示すように、伝票日付等を入力した、とする。なお、伝票日付は、図示しない時計等から、端末処理部２３が本日の日付を自動取得しても良い。
【０１３９】
そして、次に、ユーザは、伝票日付に一致する取引日付情報と２つの仕訳情報を有する仕訳伝票情報を会計情報処理装置１に登録する指示である仕訳伝票情報登録指示を入力した、とする。かかる入力は、例えば、図示しない「送信」ボタンの押下等により実現される。
【０１４０】
すると、端末受付部２１はかかる仕訳伝票情報登録指示を受け付ける。次に、端末処理部２３は、仕訳伝票情報登録指示にユーザ識別子「Ｕ０１」を付加する。次に、端末送信部２２は、ユーザ識別子「Ｕ０１」が付加された仕訳伝票情報登録指示を、会計情報処理装置１に送信する。なお、仕訳伝票情報登録指示は、図１０の「ＩＤ＝１」「ＩＤ＝２」のレコードに対応する２つの仕訳情報、取引日付情報「平成２６年１１月１３日」を有する。
【０１４１】
次に、会計情報処理装置１の受付部１２は、ユーザ識別子「Ｕ０１」が付加された仕訳伝票情報登録指示を受信する。
【０１４２】
次に、処理部１３は、受信された仕訳伝票情報から取引日付情報「平成２６年１１月１３日」を取得する。
【０１４３】
次に、蓄積部１３１は、取得された取引日付情報に対応付けて、仕訳伝票情報登録指示が有する１番目の仕訳情報を格納部１１に蓄積する。かかる仕訳情報は、図６の「ＩＤ＝１」のレコードである。なお、この段階では、図６の「ＩＤ＝１」のレコードにおいて、「対応固定資産ＩＤ」等の一部の属性値は格納されていない。
【０１４４】
次に、判断部１３３は、当該１番目の仕訳情報が、図８の条件管理表の中のいずれかの条件を満たすか否かを判断する。ここで、当該１番目の仕訳情報が有する「第一の科目情報」が「機械装置」であるので、判断部１３３は、１番目の仕訳情報は、条件管理表の中の「ＩＤ＝２」の条件を満たす、と判断する。
【０１４５】
次に、生成部１３２は、１番目の仕訳情報を用いて、蓄積された仕訳情報（図６の「ＩＤ＝１」のレコード）に対応する固定資産情報を、以下のように生成する。
【０１４６】
まず、生成部１３２は、仕訳情報識別子「１」を取得する。次に、生成部１３２は、１番目の仕訳情報が有する借方情報の第一の科目情報「機械装置」を取得する。次に、生成部１３２は、当該仕訳情報が有する借方情報の第一の仕訳金額情報「９９，７５０」を取得する。次に、生成部１３２は、当該仕訳情報が有する貸方情報の第二の科目情報「現金」を取得する。次に、生成部１３２は、当該仕訳情報が有する摘要情報「マルチプリンター」を取得する。次に、生成部１３２は、当該仕訳情報に対応する取引日付情報「平成２６年１１月１３日」を取得する。
【０１４７】
次に、生成部１３２は、生成部１３２は、第一の科目情報「機械装置」を資産種類情報、第一の仕訳金額情報「９９，７５０」を資産金額情報、第二の科目情報「現金」を支払方法情報、摘要情報を資産名称情報「マルチプリンター」、取引日付情報「平成２６年１１月１３日」を固定資産取得日情報とする固定資産情報を構成する。
【０１４８】
次に、生成部１３２は、構成した固定資産情報を、仕訳情報に対応付けて、格納部１１に蓄積する。つまり、生成部１３２は、構成した固定資産情報、および仕訳情報識別子「１」を「対応仕訳ＩＤ」として有するレコードを構成し、図７の固定資産情報管理表に蓄積する。
【０１４９】
さらに、生成部１３２は、蓄積した固定資産情報のレコードの「ＩＤ＝１」を取得する。そして、生成部１３２は、図６の仕訳伝票情報管理表の「ＩＤ＝１」のレコードの「対応固定資産ＩＤ」の属性値に「１」を追記する。
【０１５０】
次に、蓄積部１３１は、取得された取引日付情報に対応付けて、仕訳伝票情報登録指示が有する２番目の仕訳情報を格納部１１に蓄積する。かかる仕訳情報は、図６の「ＩＤ＝２」のレコードである。なお、この段階では、図６の「ＩＤ＝２」のレコードにおいて、「対応固定資産ＩＤ」等の一部の属性値は格納されていない。
【０１５１】
次に、判断部１３３は、当該２番目の仕訳情報が、図８の条件管理表の中のいずれかの条件を満たすか否かを判断する。ここで、当該２番目の仕訳情報は、条件管理表の中のいずれの条件をも満たさない、と判断する。
【０１５２】
そして、生成部１３２は、２番目の仕訳情報に対応する固定資産情報を生成しない。また、図６の「ＩＤ＝２」のレコードの「対応固定資産ＩＤ」の値は「ＮＵＬＬ（−）」のままである。
【０１５３】
次に、翌日（平成２６年１１月１４日）に、ユーザは、上記と同様、端末装置２に表示された仕訳情報入力画面に対して、「第一の科目情報：什器備品，第一の仕訳金額情報：１８０，０００，第二の科目情報：普通預金，第二の仕訳金額情報：１８０，０００，摘要情報：厨房機器」を有する仕訳情報を入力した後、仕訳伝票情報登録指示を入力した、とする。
【０１５４】
すると、端末受付部２１はかかる仕訳伝票情報登録指示を受け付ける。次に、端末処理部２３は、仕訳伝票情報登録指示にユーザ識別子「Ｕ０１」を付加する。次に、端末送信部２２は、ユーザ識別子「Ｕ０１」が付加された仕訳伝票情報登録指示を、会計情報処理装置１に送信する。なお、仕訳伝票情報登録指示は、図１０の「ＩＤ＝５８」のレコードに対応する１つの仕訳情報、取引日付情報「平成２６年１１月１４日」を有する。
【０１５５】
次に、会計情報処理装置１の受付部１２は、ユーザ識別子「Ｕ０１」が付加された仕訳伝票情報登録指示を受信する。
【０１５６】
次に、処理部１３は、受信された仕訳伝票情報から取引日付情報「平成２６年１１月１４日」を取得する。
【０１５７】
次に、蓄積部１３１は、取得された取引日付情報に対応付けて、仕訳伝票情報登録指示が有する仕訳情報を格納部１１に蓄積する。かかる仕訳情報は、図６の「ＩＤ＝５８」のレコードである。なお、この段階では、図６の「ＩＤ＝５８」のレコードにおいて、「対応固定資産ＩＤ」等の一部の属性値は格納されていない。
【０１５８】
次に、判断部１３３は、当該仕訳情報が、図８の条件管理表の中のいずれかの条件を満たすか否かを判断する。ここで、当該の仕訳情報が有する「第一の科目情報」が「什器備品」であり、「第一の仕訳金額情報」が「１８０，０００」であるので、判断部１３３は、１番目の仕訳情報は、図８の条件管理表の中の「ＩＤ＝４」の条件を満たす、と判断する。
【０１５９】
次に、生成部１３２は、当該仕訳情報を用いて、蓄積された仕訳情報（図６の「ＩＤ＝５８」のレコード）に対応する固定資産情報を、以下のように生成する。
【０１６０】
まず、生成部１３２は、仕訳情報識別子「５８」を取得する。次に、生成部１３２は、当該仕訳情報が有する借方情報の第一の科目情報「什器備品」を取得する。次に、生成部１３２は、当該仕訳情報が有する貸方情報の第二の仕訳金額情報「１８０，０００」を取得する（なお、借方情報の第一の仕訳金額情報を取得しても良い）。次に、生成部１３２は、当該仕訳情報が有する貸方情報の第二の科目情報「普通預金」を取得する。次に、生成部１３２は、当該仕訳情報が有する摘要情報「厨房機器」を取得する。次に、生成部１３２は、当該仕訳情報に対応する取引日付情報「平成２６年１１月１４日」を取得する。
【０１６１】
次に、生成部１３２は、生成部１３２は、第一の科目情報「什器備品」を資産種類情報、第一の仕訳金額情報「１８０，０００」を資産金額情報、第二の科目情報「普通預金」を支払方法情報、摘要情報を資産名称情報「厨房機器」、取引日付情報「平成２６年１１月１４日」を固定資産取得日情報とする固定資産情報を構成する。
【０１６２】
次に、生成部１３２は、構成した固定資産情報を、仕訳情報に対応付けて、格納部１１に蓄積する。つまり、生成部１３２は、構成した固定資産情報、および仕訳情報識別子「１」を「対応仕訳ＩＤ」を有するレコードを構成し、図７の固定資産情報管理表に蓄積する。
【０１６３】
さらに、生成部１３２は、蓄積した固定資産情報のレコードの「ＩＤ＝２」を取得する。そして、生成部１３２は、図６の仕訳伝票情報管理表の「ＩＤ＝５８」のレコードの「対応固定資産ＩＤ」の属性値に「２」を追記する。
【０１６４】
以上により、会計情報処理装置１は、受信した仕訳情報から、適切に固定資産情報を生成できた。
【０１６５】
（具体例２）
今、ユーザは、端末装置２に対して、固定資産情報の入力指示を入力した、とする。そして、端末受付部２１は、固定資産情報の入力の指示である固定資産情報入力指示を受け付ける。次に、端末処理部２３は、当該ユーザのユーザ識別子（例えば、「Ｕ０１」）を端末格納部２０から読み出し、当該ユーザ識別子を固定資産情報入力指示に付加し、会計情報処理装置１に送信する。
【０１６６】
次に、会計情報処理装置１の受付部１２は、ユーザ識別子「Ｕ０１」が付加された固定資産情報入力指示を受信する。そして、出力部１４は、固定資産情報入力指示に対応する固定資産情報入力画面情報を格納部１１から読み出し、端末装置２に送信する。固定資産情報入力画面情報は、固定資産情報を入力するための画面である固定資産情報入力画面を構成するための情報である。固定資産情報入力画面情報は、例えば、ＨＴＭＬ、ＸＭＬ等で記述されているが、その構造、内容等は問わない。
【０１６７】
次に、端末装置２の端末受信部２４は、固定資産情報入力画面情報を受信する。そして、出力部１４は、固定資産情報入力画面情報を用いて、固定資産情報入力画面を表示する。
【０１６８】
次に、ユーザは、図１１に示す固定資産情報入力画面に対して、５つの固定資産情報を入力した、とする。
【０１６９】
そして、次に、ユーザは、固定資産情報を会計情報処理装置１に登録する指示である固定資産情報登録指示を入力した、とする。かかる入力は、例えば、図示しない「送信」ボタンの押下等により実現される。
【０１７０】
すると、端末受付部２１はかかる固定資産情報登録指示を受け付ける。次に、端末処理部２３は、固定資産情報登録指示にユーザ識別子「Ｕ０１」を付加する。次に、端末送信部２２は、ユーザ識別子「Ｕ０１」が付加された固定資産情報登録指示を、会計情報処理装置１に送信する。なお、固定資産情報登録指示は、５つの固定資産情報を有する。
【０１７１】
次に、会計情報処理装置１の受付部１２は、ユーザ識別子「Ｕ０１」が付加された固定資産情報登録指示を受信する。
【０１７２】
次に、蓄積部１３１は、受信された５つの固定資産情報を、図７に示す固定資産情報管理表に蓄積する。
【０１７３】
次に、生成部１３２は、以下のように仕訳情報を生成する。なお、ここで、５つの固定資産情報のうち、４つ目の固定資産情報を用いて、仕訳情報を生成する処理を説明する。
【０１７４】
まず、生成部１３２は、固定資産情報識別子（例えば、「１」である、とする。）を取得する。
【０１７５】
次に、生成部１３２は、蓄積された固定資産情報が有する資産名称情報「マルチプリンター」を取得する。
【０１７６】
次に、生成部１３２は、当該固定資産情報が有する資産種類情報「機械装置」を取得する。
【０１７７】
次に、生成部１３２は、当該固定資産情報が有する固定資産取得日情報「平成２６年１１月１３日」を取得する。
【０１７８】
次に、生成部１３２は、当該固定資産情報が有する支払方法情報「現金」を取得する。
【０１７９】
次に、生成部１３２は、当該固定資産情報が有する資産金額情報「９９，７５０」を取得する。
【０１８０】
次に、生成部１３２は、資産名称情報「マルチプリンター」を摘要情報、資産種類情報「機械装置」を第一の科目情報、支払方法情報「現金」を第二の科目情報、資産金額情報「９９，７５０」を第一の仕訳金額情報および第二の仕訳金額情報とする仕訳情報を構成する。また、生成部１３２は、仕訳情報と仕訳情報ＩＤ「１」を有するレコードを構成する。
【０１８１】
次に、生成部１３２は、固定資産取得日情報「平成２６年１１月１３日」と同一の取引日付情報に対応付けて、構成したレコードを、図６に示す仕訳伝票情報管理表に蓄積する。かかるレコードは、図６の「ＩＤ＝１」のレコードである。
【０１８２】
また、さらに、生成部１３２は、蓄積した仕訳情報のレコードの「ＩＤ＝１」を取得する。そして、生成部１３２は、図７の固定資産情報管理表の「ＩＤ＝１」のレコードの「対応仕訳ＩＤ」の属性値に「１」を追記する。
【０１８３】
以上により、会計情報処理装置１は、受信した固定資産情報から、適切に仕訳情報を生成できた。
【０１８４】
また、具体例１または具体例２の処理により、図１２に示すように、仕訳情報の属性値等と固定資産情報の属性値等との一貫性を確保することに役立つ。
【０１８５】
なお、会計情報処理装置１は、仕訳情報のある属性値が修正された場合、当該属性値と対応する固定資産情報の中の属性値を自動修正することは好適である。また、その逆に、会計情報処理装置１は、固定資産情報のある属性値が修正された場合、当該属性値と対応する仕訳情報の中の属性値を自動修正することは好適である。
【０１８６】
（具体例３）
ユーザは、端末装置２に対して、仕訳情報の出力を指示する。すると、端末装置２の端末受付部２１は、仕訳情報の出力指示を受け付ける。次に、端末処理部２３は、仕訳情報の出力指示に、ユーザ識別子「Ｕ０１」を付加する。次に、端末送信部２２は、ユーザ識別子「Ｕ０１」が付加された仕訳情報の出力指示を会計情報処理装置１に送信する。
【０１８７】
次に、会計情報処理装置１の受付部１２は、ユーザ識別子「Ｕ０１」が付加された仕訳情報の出力指示を受信する。
【０１８８】
次に、処理部１３は、ユーザ識別子「Ｕ０１」と対になる１以上の仕訳情報を格納部１１の仕訳伝票情報管理表から取得する。次に、仕訳情報出力部１４１は、取得された１以上の仕訳情報を端末装置２に送信する。
【０１８９】
次に、端末装置２の端末受信部２４は、１以上の仕訳情報を受信する。次に、端末出力部２５は、１以上の仕訳情報をディスプレイに表示する。かかる出力例は、図１３である。図１３において、１３０１は、固定資産情報の存在を示す情報である。なお、ここでは、固定資産情報の存在を示す情報はアイコンである。なお、固定資産情報の存在を示す情報は、対応固定資産ＩＤ「１」であり、アイコンは、対応固定資産ＩＤが存在することを示す情報であり、端末出力部２５が、対応固定資産ＩＤ「１」（対応固定資産ＩＤがＮＵＬＬではないこと）に基づいて、出力した情報である、と考えても良い。
【０１９０】
次に、ユーザは、図１３の１３０１に対して、指示を入力した、とする。かかる指示は、一の仕訳情報にフォーカスを移動するフォーカス移動指示である。すると、端末装置２の端末受付部２１は、フォーカス移動指示を受け付ける。次に、なお、フォーカス移動指示は、１３０１に対応する対応固定資産ＩＤ「１」を含む。次に、端末処理部２３は、ユーザ識別子「Ｕ０１」を当該フォーカス移動指示に付加する。そして、端末送信部２２は、ユーザ識別子「Ｕ０１」が付加されたフォーカス移動指示を、会計情報処理装置１に送信する。なお、このフォーカス移動指示は、固定資産情報の出力指示である、とも言える。
【０１９１】
次に、会計情報処理装置１の受付部１２は、ユーザ識別子「Ｕ０１」が付加されたフォーカス移動指示を受信する。次に、処理部１３は、ユーザ識別子「Ｕ０１」に対応する固定資産情報であり、対応固定資産ＩＤ「１」に対応する固定資産情報を、図７の固定資産情報管理表から取得する。次に、固定資産情報出力部１４２は、取得した固定資産情報を、端末装置２に送信する。
【０１９２】
次に、端末装置２の端末受信部２４は固定資産情報を受信し、端末出力部２５は固定資産情報を出力する。かかる出力例は、図１４である。図１４によれば、フォーカスされている仕訳情報に対応する固定資産情報が出力されている。かかる出力により、ユーザにとって、仕訳情報と、それに対応する固定資産情報とが対比しやすい、というメリットがある。
【０１９３】
なお、処理部１３は、フォーカス移動指示に対応する固定資産情報が格納部１１に格納されていないと判断した場合、固定資産情報を取得しないことは言うまでもない。
【０１９４】
また、今、ユーザが固定資産情報の出力指示を端末装置２に入力した、とする。すると、端末受付部２１は固定資産情報の出力指示を受け付ける。次に、端末処理部２３は、当該出力指示にユーザ識別子「Ｕ０１」を付加する。次に、端末送信部２２は、ユーザ識別子「Ｕ０１」が付加された固定資産情報の出力指示を会計情報処理装置１に送信する。
【０１９５】
次に、会計情報処理装置１の受付部１２は、ユーザ識別子「Ｕ０１」が付加された固定資産情報の出力指示を受信する。次に、処理部１３は、ユーザ識別子「Ｕ０１」に対応する１以上の固定資産情報を、格納部１１の固定資産情報管理表から取得する。そして、固定資産情報出力部１４２は、１以上の固定資産情報を端末装置２に送信する。
【０１９６】
次に、端末装置２の端末受信部２４は１以上の固定資産情報を受信し、端末出力部２５は１以上の固定資産情報を表示する。かかる表示例は、図１５である。図１５において、１５０１は、固定資産情報に対応する仕訳情報が存在することを示す情報である。固定資産情報に対応する仕訳情報が存在することを示す情報は、ここでは、アイコンである。
【０１９７】
そして、ユーザは、１５０１を指示した、とする。すると、端末装置２の端末受付部２１は、仕訳情報出力指示を受け付ける。次に、端末処理部２３は、当該仕訳情報出力指示にユーザ識別子「Ｕ０１」を付加する。次に、端末送信部２２は、ユーザ識別子「Ｕ０１」が付加された仕訳情報出力指示を会計情報処理装置１に送信する。なお、仕訳情報出力指示は、固定資産情報識別子「１」を含む。
【０１９８】
次に、会計情報処理装置１の受付部１２は、ユーザ識別子「Ｕ０１」が付加された仕訳情報出力指示を受信する。次に、処理部１３は、ユーザ識別子「Ｕ０１」および固定資産情報識別子「１」に対応する仕訳情報を、格納部１１の仕訳情報管理表から取得する。そして、仕訳情報出力部１４１は、取得された仕訳情報を端末装置２に送信する。
【０１９９】
次に、端末装置２の端末受信部２４は仕訳情報を受信し、端末出力部２５は仕訳情報を表示する。かかる表示例は、図１６である。図１６において、指示された固定資産情報に対応する仕訳情報が出力されている。かかる出力により、ユーザにとって、仕訳情報と、それに対応する固定資産情報とが対比しやすい、というメリットがある。
【０２００】
以上、本実施の形態によれば、効率的かつ正確に固定資産情報を入力できる。また、本実施の形態によれば、固定資産の知識が無い者にでも、効率的かつ正確に固定資産情報を入力できる。
【０２０１】
また、本実施の形態によれば、効率的かつ正確に仕訳情報を入力できる。
【０２０２】
また、本実施の形態によれば、仕訳情報と、当該仕訳情報に対応する固定資産情報とを同時に確認できる。さらに、本実施の形態によれば、固定資産情報と、当該固定資産情報に対応する仕訳情報とを同時に確認できる。
【０２０３】
なお、本実施の形態において、会計情報処理装置１は、スタンドアロンでも良い。かかる場合、会計情報処理装置１は、格納部１１、受付部１２、処理部１３、出力部１４を備える。そして、受付部１２は、通常、ユーザから指示や情報等を受け付ける。また、出力部１４は、通常、情報を表示する。なお、処理部１３は、蓄積部１３１、生成部１３２、判断部１３３、固定資産種類決定部１３４を備える。また、出力部１４は、仕訳情報出力部１４１、固定資産情報出力部１４２、固定資産種類出力部１４３を備える。
【０２０４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における会計情報処理装置１を実現するソフトウェアは、以下のようなプログラムである。つまり、このプログラムは、コンピュータがアクセス可能な記録媒体は、取引の日付を示す取引日付情報と、科目を示す科目情報、摘要を示す摘要情報、および金額を示す仕訳金額情報を有する１以上の仕訳情報とを有する仕訳伝票情報と、資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、コンピュータを、取引の日付を示す取引日付情報と仕訳情報を受け付ける受付部と、前記受付部が受け付けた仕訳情報を前記格納部に蓄積する蓄積部と、前記受付部が受け付けた仕訳情報が有する科目情報を資産種類情報とし、前記受付部が受け付けた仕訳情報が有する摘要情報を資産名称情報とし、前記受付部が受け付けた仕訳情報が有する仕訳金額情報を資産金額情報とし、前記受付部が受け付けた取引日付情報を固定資産取得日情報とする固定資産情報を生成し、前記格納部に蓄積する生成部として機能させるためのプログラムである。
【０２０５】
上記プログラムにおいて、前記受付部は、一の取引日付情報と２以上の仕訳情報を受け付け、前記生成部は、前記受付部が受け付けた仕訳情報の数だけ、前記受付部が受け付けた一の取引日付情報を固定資産取得日情報とする固定資産情報を生成し、前記格納部に蓄積するものとして、コンピュータを機能させるプログラムであることは好適である。
【０２０６】
上記プログラムにおいて、コンピュータを、前記受付部が受け付けた仕訳情報が予め決められた条件を満たすか否かを判断する判断部としてさらに機能させ、前記生成部は、前記判断部が予め決められた条件を満たすと判断した場合のみ、固定資産情報を生成し、前記格納部に蓄積するものとして、コンピュータを機能させるプログラムであることは好適である。
【０２０７】
上記プログラムにおいて、前記予め決められた条件は、前記受付部が受け付けた仕訳情報が有する科目情報が、予め決められた情報であることであるという条件を含むものとして、コンピュータを機能させるプログラムであることは好適である。
【０２０８】
上記プログラムにおいて、前記予め決められた条件は、前記受付部が受け付けた仕訳情報が有する仕訳金額情報が、閾値以上または閾値より大きいことであるという条件を含むものとして、コンピュータを機能させるプログラムであることは好適である。
【０２０９】
上記プログラムにおいて、前記格納部は、企業の種類を示す企業種類情報を格納し得、前記閾値は、前記企業種類情報に応じて異なるものとして、コンピュータを機能させるプログラムであることは好適である。
【０２１０】
上記プログラムにおいて、前記受付部が受け付けた仕訳情報を用いて、固定資産の種類を決定する固定資産種類決定部と、前記固定資産種類を出力する固定資産種類出力部として、コンピュータをさらに機能させるプログラムであることは好適である。
【０２１１】
また、本実施の形態における会計情報処理装置１を実現するソフトウェアは、以下のようなプログラムである。つまり、このプログラムは、コンピュータがアクセス可能な記録媒体は、取引の日付を示す取引日付情報と、科目を示す科目情報、摘要を示す摘要情報、および金額を示す仕訳金額情報を有する１以上の仕訳情報とを有する仕訳伝票情報と、資産の種類を示す資産種類情報、資産の名称を示す資産名称情報、金額を示す資産金額情報、および固定資産の取得日を示す固定資産取得日情報を有する１以上の固定資産情報とを格納し得る格納部を具備し、コンピュータを、固定資産情報を受け付ける受付部と、前記受付部が受け付けた固定資産情報を前記格納部に蓄積する蓄積部と、前記受付部が受け付けた固定資産情報が有する資産種類情報を科目情報とし、前記受付部が受け付けた固定資産情報が有する資産名称情報を摘要情報とし、前記受付部が受け付けた固定資産情報が有する資産金額情報を仕訳金額情報とし、前記受付部が受け付けた固定資産情報が有する固定資産取得日情報と一致する取引日付情報に対応する仕訳情報を生成し、前記格納部に蓄積する生成部として機能させるためのプログラムである。
【０２１２】
上記プログラムにおいて、前記生成部は、前記受付部が受け付けた仕訳情報と前記生成部が生成した固定資産情報とを対応付けて前記格納部に蓄積する、または、前記受付部が受け付けた固定資産情報と前記生成部が生成した仕訳情報とを対応付けて前記格納部に蓄積するものとして、コンピュータを機能させるプログラムであることは好適である。
【０２１３】
上記プログラムにおいて、コンピュータを、前記格納部の仕訳情報、および固定資産情報を出力する出力部としてさらに機能させ、前記受付部は、一の仕訳情報の出力指示、または一の仕訳情報にフォーカスを移動するフォーカス移動指示を受け付け、前記出力部は、前記受付部が出力指示、または前記フォーカス移動指示を受け付けたことに応じて、前記一の仕訳情報に対応する固定資産情報を前記格納部から取得し、出力するものとして、コンピュータを機能させるプログラムであることは好適である。
【０２１４】
上記プログラムにおいて、前記出力部は、一の仕訳情報を出力する際に、当該一の仕訳情報に対応する固定資産情報が存在する場合に、当該固定資産情報の存在を示すアイコンを前記一の仕訳情報に対応付けて出力するものとして、コンピュータを機能させるプログラムであることは好適である。
【０２１５】
また、図１７は、本明細書で述べたプログラムを実行して、上述した種々の実施の形態の会計情報処理装置１等を実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０２１６】
図１７において、コンピュータシステム３００は、ＣＤ−ＲＯＭドライブを含むコンピュータ３０１と、キーボード３０２と、マウス３０３と、モニタ３０４とを含む。
【０２１７】
図１８おいて、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２１８】
コンピュータシステム３００に、上述した実施の形態の会計情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２１９】
プログラムは、コンピュータ３０１に、上述した実施の形態の会計情報処理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２２０】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２２１】
また、上記プログラムを実行するコンピュータは、単数であってもよく、複数であってもよい。すなわち、集中処理を行ってもよく、あるいは分散処理を行ってもよい。
【０２２２】
また、上記各実施の形態において、一の装置に存在する２以上の通信手段（端末情報送信部、端末情報受信部など）は、物理的に一の媒体で実現されても良いことは言うまでもない。
【０２２３】
また、上記各実施の形態において、各処理（各機能）は、単一の装置（システム）によって集中処理されることによって実現されてもよく、あるいは、複数の装置によって分散処理されることによって実現されてもよい。
【０２２４】
本発明は、以上の実施の形態に限定されることなく、種々の変更が可能であり、それらも本発明の範囲内に包含されるものであることは言うまでもない。
【産業上の利用可能性】
【０２２５】
以上のように、本発明にかかる会計情報処理装置は、効率的かつ正確に固定資産情報または仕訳情報を入力できるという効果を有し、会計情報処理サーバ等として有用である。
【符号の説明】
【０２２６】
１  会計情報処理装置
２  端末装置
１１  格納部
１２  受付部
１３  処理部
１４  出力部
２０  端末格納部
２１  端末受付部
２２  端末送信部
２３  端末処理部
２４  端末受信部
２５  端末出力部
１３１  蓄積部
１３２  生成部
１３３  判断部
１３４  固定資産種類決定部
１４１  仕訳情報出力部
１４２  固定資産情報出力部
１４３  固定資産種類出力部
【図１】
0006484498.tif 000002
【図２】
0006484498.tif 000003
【図３】
0006484498.tif 000004
【図４】
0006484498.tif 000005
【図５】
0006484498.tif 000006
【図６】
0006484498.tif 000007
【図７】
0006484498.tif 000008
【図８】
0006484498.tif 000009
【図９】
0006484498.tif 000010
【図１０】
0006484498.tif 000011
【図１１】
0006484498.tif 000012
【図１２】
0006484498.tif 000013
【図１３】
0006484498.tif 000014
【図１４】
0006484498.tif 000015
【図１５】
0006484498.tif 000016
【図１６】
0006484498.tif 000017
【図１７】
0006484498.tif 000018
【図１８】
0006484498.tif 000019